(57)【要約】  年齢、事故、疾病などにより身体の柔軟性が制限された人々が、個人の下着パンツ（１８）またはウエストゴム入りパンツおよびズボンを容易に交換するのを支援するよう設計された２つの分離した一対の携帯型ユニット（図１）で構成された装置。それは、使い捨ておよび洗浄可能な失禁用下着パンツ（１８）を交換するのに特に有用である。各ユニットは、快適なハンドル（１）と、軽量であるが頑丈なシャフト（２）と、前記ハンドル（２）に対して前記シャフトの反対側の先端に取り付けられた頑丈で軽量の湾曲したヘッド（３）と、で構成されている。各ヘッド（３）の凸表面は、Ｖｅｌｃｒｏ（登録商標）フックまたは類似物などの織物把握製品（４）により覆われている。使用は、衣類（１８）のウエストバンドの内側を湾曲したヘッド（３）のＶｅｌｃｒｏ（登録商標）表面（４）に張り付けることを含み、そのためユニットが伸長したアーム位置で保持されている時には、衣類（１８）は、楽に開口されていて、使用者の足（２３）の上を容易に滑らせて膝の高さまで上昇することができる位置で保持される。
2013539672.tif 000002
【特許請求の範囲】
【請求項１】
身体の柔軟性が制限された人々が下着パンツまたはウエストゴム入りズボンを簡単に着脱するのを支援するように設計された２つの類似した携帯型ユニットで構成された装置であって、
各ユニットは、頑丈で軽量のシャフトに連結された様々な材料の持ちやすいなハンドルからなり、このシャフトは、着席してシャフトに取り付けられたハンドルを保持するときに、シャフトの他方の先端を使用者の胴または腰を過剰に曲げずに足指の前の地面に快適に到達させるのに十分長くなければならず、
ユニットのシャフトそれぞれの反対側の先端には、頑丈であるが軽量で細長く狭いプロファイルの湾曲したヘッドが、ハンドルにしっかりと取り付けられ、ヘッドの外部（凸）表面は、Ｖｅｌｃｅｏ（登録商標）フックなどの織物把握材料で覆われ、ヘッドは、衣類に正しく張り付けられて、前記装置が正しい作業位置で保持されるときに、ヘッドが衣類の重量を楽に持ち上げ、衣類のウエストバンドを開口状態で保持するように設計される、
装置。
【請求項２】
前記装置を含む２つのユニットの一方が、独占的に右手で用いられるように設計されており、それ自体が、前記ユニットが正しい作業位置にある時にそのユニットの凹表面の上部エリアに明確に押印または成形されたＲの文字を有する、請求項１に記載の装置。
【請求項３】
前記装置を含む２つのユニットの一方が、独占的に左手で用いられるように設計されており、それ自体が、前記ユニットが正しい作業位置にある時にそのユニットの凹表面の上部エリアに明確に押印または成形されたＬの文字を有する、請求項１に記載の装置。
【請求項４】
前記ユニットのそれぞれが、使用の準備ができた使用者の手で正しい位置で保持され、右手の中の右手ユニットおよび左手の中の左手ユニットは、関連のヘッドの上部区分に押印または成形されたＬおよびＲを有し、その後、前記ヘッドの上部区分が使用者の手に向かって予め設定された重要な角度で傾く、請求項２および３に記載のユニット。
【請求項５】
各ユニットのヘッドが、取り付けられたシャフトに対して設定された角度で存在し、全ての例で一対の各ユニットの角度が同一であり、この角度は、着席時に着用される衣類を人の足に対して最良の角度で装置に提供させて、衣類のウエスト開口部に使用者の足を容易に接近させ得ることが重要である、請求項４に記載の装置。
【請求項６】
各ユニットのハンドルおよびヘッドを連結するシャフトが、軽量であるが頑丈な材料のものでなければならず、シャフトの引張強さは、使用するつもりの衣類の重量を楽にサポートするようになっていなければならず、前記強さが、使用時に衣類のウエスト開口部を楽に開口状態で保持しながら、使用時に生じるシャフトの柔軟性または湾曲が最小にしなければならない、請求項１に記載の装置。
【請求項７】
各ユニットのシャフトの全長が、各左および右の対で同じ長さであるが、その長さが、使用者の要件に応じて変動してもよい、請求項１に記載の装置。
【請求項８】
各ユニットのヘッドが、軽量であるが頑丈な材料から製造され、その強度は、着用される衣類を負荷した時に本来のプロファイルを維持するようになっていなければならない。これらのヘッドは、使用者が足をウエスト開口部に楽に滑り入れために衣類のウエストバンドが十分に開口状態で楽に保持されるように、十分な長さで湾曲していなければならない、請求項１に記載の装置。
【請求項９】
この装置を含むユニットが、ポリカーボネートまたは類似のプラスチック、またはアルミニウムおよびその合金などの材料から、一体成形された、または各ユニットごとの単一部品として形成されたハンドル、シャフトおよびヘッドで製造されてもよく、この一体として形成されたユニットは、最も迅速かつ簡便で最も経済的な前記装置の形態である、請求項１に記載の装置。
【請求項１０】
前記ハンドル、シャフトおよびヘッドが、互いに類似の、または大きく異なる材料から別個に製造されてもよい、請求項１に記載の装置。
【請求項１１】
前記ハンドルが、軟質、軽量、頑丈および防水の材料、例えばＥＶＡ（エチレン酢酸ビニル）もしくはＨｙｐａｌｏｎ（登録商標）、または天然材料、例えばコルクから製造されてもよく、材料の選択は、使用者に軟質であるが頑丈で持ちやすさを考慮する、請求項１０に記載の装置。
【請求項１２】
前記シャフトが、おそらく軽量を保持しながら引張強さを上昇させるグラファイト、Ｋｅｖｌａｒ（登録商標）または類似の材料を追加的に強化したＧＲＰ（ガラス強化プラスチック）などの軽量であるが頑丈な材料から別個に製造されてもよく、シャフトのプロファイルは、中空であっても、または中空でなくてもよく、軽量性と頑丈さとの最良の組合わせとして中空が好ましい。前記シャフトは、アルミニウムおよびその合金などのその他の材料から製造されてもよく、その長手方向プロファイルは、平行または先細の形態であってもよい、請求項１または１０に記載の装置。
【請求項１３】
別個に製造されたヘッドが、請求項１０に記載の一体として製造されたユニットで請求されたものと類似の材料から成型または形成されていてもよく、前記別個に製造されたヘッドは、前記ヘッドの凹表面の中央に装着台をその形態で含むように形成または成形されなければならず、それにより請求項１２に記載の別個に製造されたシャフトが前記独立したヘッドにしっかりと嵌合するために、このブロックに穴を成形または穿孔させることができ、前記ヘッドは、請求項６に記載の一体として製造されたユニットのヘッドと類似の軽量性および頑丈性を有していなければならない、請求項９または１０に記載の装置。
【請求項１４】
別個に製造されたヘッドの装着台の穴が、各別個に製造されたヘッドの長手方向軸に対して請求項５に記載されたものと同じ角度で設定された中央線を有していなければならず、各別個に製造されたヘッドの穴を、別個に製造されたシャフトの口径よりも極めてわずかに小さな口径にして、そのようなシャフトを前記穴に密接に嵌合させなければならず、前記穴は、ヘッドの装着台を、前記装着台の厚さのおよそ７５％まで穿通していなければならない、請求項１３に記載の装置。
【請求項１５】
前記シャフトが、入れ子形態で製造され、その伸長形態が、請求項１２に記載の単一部品のシャフトと、長さおよび強度の両方で類似し、入れ子式シャフトの各区分の間の継ぎ目は、最小限の労作で前記ユニットを完全長まで容易に伸長することができるだけでなく、一方の手でハンドルを簡単に保持し他方の手の手のひらでヘッドをハンドルに向かって穏やかにたたくことにより容易に圧縮させる様式で、設計されていなければならず、入れ子式ユニットを伸長または圧縮するのに、ねじり運動を必要としてはならない、請求項１０または１２に記載の装置。
【請求項１６】
圧縮形態の入れ子式シャフトが、主に取り付けられた軟質ハンドル内に含まれ、伸長した長さを約７０％減少させる、請求項１５に記載の装置。
【請求項１７】
前記ユニットが、入れ子式シャフトにより全長を減少させてもよく、前記ユニットが、ビニルまたはその他の軟質で頑丈な材料から作製された小奇麗で軟質であり目立たないキャリーケースに嵌め込むのに適した、長さ１５０ｍｍ×幅１２０ｍｍほどの全体的寸法に減少させてもよい、請求項１５または１６に記載の装置。
【請求項１８】
圧縮形態の入れ子式ユニットを、替えの下着パンツまたは失禁用パンツと共に軟質キャリーケースに入れて、それらを容易に保管、またはハンドバッグもしくは乗り物のグローブボックスの中で運搬させてもよい、請求項１５、１６または１７に記載の装置。
【請求項１９】
各ヘッドユニットが、シャフトと一体として形成されていても、または別個に形成されていても、Ｖｅｌｃｒｏ（登録商標）への接着が決して適切ではない、トラックスーツパンツまたはウエストゴム入りズボンまたは下着パンツなどのより重い衣類を引張るのを支援するために、２つの先細のコーナーを有する、請求項１、８、９または１３に記載の装置。
【請求項２０】
一体または別個の各ヘッドが、ハンドルに最も近くの、内部（凹）表面上に延在している２つのコーナー上に、ヘッドの長い縁部および短い縁部に沿っておよそ７ｍｍ延在し、ヘッドの凹表面から傾斜している２つの小さな先細の三角領域を有し、凹表面のこの三角領域の底辺は、最高でも１０ｍｍの長さであり、この三角領域は、ヘッドのコーナーの厚さをおよそ１ｍｍまで減少させる、請求項１９に記載の装置。
【請求項２１】
ユニットのヘッドそれぞれの２つの先細のコーナーが、特に重い衣類を用いる場合の、Ｖｅｌｃｒｏ（登録商標）以外の衣類上の追加的な握力の発生源として重要であり、使用の際、各ヘッドの前記先細のコーナーは、着用される衣類のウエストバンドの下に配置させて、より重い衣類を装置によりしっかりと保持することができる位置にヘッドをしっかりと定置させて、意図する通り引き上げる、請求項２０に記載の装置。
【請求項２２】
各ヘッドが、一体として製造されていても、または別個に製造されていても、Ｖｅｌｃｒｏ（登録商標）フックなどの織物把握材料により覆われた全体的な凸（外部）表面を有し、前記把握材料は、装置が意図する通り用いられた場合にヘッドからの分離が回避されるのに十分強力な適切な接着剤により各ヘッドの凸表面に連結されてもよい、請求項１に記載の装置。
【請求項２３】
柔軟性に問題がある人が、実質的に添付の図面の図１〜７を参照して本明細書の先に記載された通り、そしてそれらに図示された通り、下着パンツまたはウエストゴム入りズボンを着用するのを支援する装置。
【発明の詳細な説明】
【技術分野】
【０００１】
本発明は、身体の柔軟性が制限された人々が着衣するのを支援するように、特に標準材料および使い捨て失禁用タイプの両方の下着パンツの着脱、ならびにトラックスーツボトムに加え、ウエストゴム入りズボンおよびスラックスの着脱を支援するように設計された、一対の、類似しているが別個の携帯型ユニットに関する。
【０００２】
高齢、背中の損傷、人工股関節置換術、妊娠後期、およびその他の疾病、例えば多発性硬化症などの要因により柔軟性が低下した人々は、着席時であっても膝周辺にしか手が届かないことが多く、下着パンツおよびズボンの着脱が極めて困難であると感じる場合がある。
【０００３】
使い捨て失禁用下着パンツの使用は、近年になり益々増加しており、本発明は特に、これらの物品の着脱を支援することを対象とする。失禁用パンツは、一般に、脚およびウエストの開口部にきつくゴムが入れられているため、着脱がより困難である。特に汚れた衣類を脱ぐ時に、外部の援助に依存せずにこれらの失禁用パンツを取り扱うことができなければ、高齢者は非常に苦悩に満ちた状況になり、残された品格および独立性が失われることが多い。
【０００４】
汚れた失禁用パンツを必要に応じて定期的に交換しなければ、使用者は様々な皮膚およびその他関連の健康問題を引き起こす可能性がある。それゆえ、これを自分自身で容易に行う可能性は、そのような衣類の使用者の物理的および情緒的安寧にとって極めて重要である。
【背景技術】
【０００５】
この明細書全体にある先行技術の任意の議論は、そのような先行技術が広く知られていること、または当該分野の一般知識の一部を形成していることを承認するものではない。
【０００６】
多数のより初期の発明、例えば、
米国特許第５６３６７７４号、
米国特許第５７６９２８９号、
カナダ特許第２６４１３６８号、
などが、特に靴下およびストッキングを対象とする、着衣の問題を取り扱ってきたが、これらのいずれも、ズボンおよび下着パンツの着脱の問題に取り組んでいない。
【０００７】
様々なその他の特許、例えば
米国特許出願公開第２０１０／００７８４５０  Ａ１号、
米国特許出願公開第２０１０／０２５８６００  Ａ１号、
米国特許出願公開第２００９／００３９１１８  Ａ１号、
米国特許出願第２００５／２０５６１９  Ａ１号、
などは全て、柔軟性が制限された人々がズボンなどの衣類を着用するのを支援する問題を取り扱っている。しかし、上記特許の全てが、クリップ、留め金および紐の使用に大きく依存するか、またはかさばった骨組みを含む。特に高齢者による使用を考慮すれば、これらの装置のいずれも、高齢の人々の大部分が支援を受けずにそれらを有効に使用することができるほど、機能が容易でないと考えられる。
【０００８】
近年の特許である表題「Ｄｅｖｉｃｅ  ｔｏ  ｈｅｌｐ  ｗｉｔｈ  ｄｒｅｓｓｉｎｇ」の米国特許出願公開第２０１０／１９３５５４号は、着衣、特にズボンおよび失禁用パンツの着用を支援することを主張している。
【０００９】
この装置は、長さ３８ｃｍ×幅２８ｃｍほどの基板と、高さ１３０ｃｍの２本の垂直に定置されたアームと、からなる。それは、使用者が、パンツをその直立のアームに取り付けて、パンツをそのようなアーム上に送り込むことができるように設計されている。その後、その装置を、紐を用いて床まで下げ、その後、使用者がパンツに足を通せるよう正しい位置に引張る必要がある。本発明人は、高齢者または柔軟性に問題のある人々の大部分ができる限り支援を受けずに上記行動を管理し得る方法を理解することは、困難であると感じている。
【発明の概要】
【発明が解決しようとする課題】
【００１０】
本発明の目的は、柔軟性が制限された人々が下着パンツおよびウエストゴム入りズボンを着脱するのを支援する装置を提供することである。クリップまたはフックまたは紐を用いずにこれを実施すること、および極めて軽量であること、そして必要であれば、車両のバッグ又は手袋コンパートメントの中で容易に持ち運び可能であることも目的とする。
【課題を解決するための手段】
【００１１】
本発明は、年齢、事故、疾病または妊娠などにより身体の柔軟性が制限された人々が、下着パンツまたはウエストゴム入りズボンもしくはスラックスを簡単かつ効率的に交換するのを支援するための、一対の類似した携帯型ユニットで構成された装置を提供する。それは、使い捨ての紙製またはその他の洗浄可能な失禁用下着パンツを交換するのに特に有用である。
【００１２】
上記の類似ユニットのそれぞれは、ユニットの安全で楽に握れるようにするよう設計されたハンドルで構成されている。このハンドルは、使用者が腕を伸ばすと手が脚まで快適に届き、足の上にズボンを配置できるように設計されている、頑丈であるが軽量のシャフトの一方の先端に取り付けられている。ハンドルに対してシャフトの反対側の先端には、ヘッドのそれぞれの外部（凸）表面全体を覆ってしっかりと付着されたＶｅｌｃｒｏ（登録商標）フックまたはその他の類似の織物把握材料を有する頑丈であるが軽量の湾曲したヘッドが存在する。
【００１３】
該ユニットは、右手または左手のいずれかに特有に保持されるよう設計されており、そのためＲおよびＬの文字が標識されている。
【００１４】
湾曲したヘッドの表面を覆うＶｅｌｃｒｏ（登録商標）は、衣類のウエストバンドの内側にしっかりと張り付けられるように設計されている。正しく張り付けられれば、操作位置にあるこれらのヘッドは、衣類のウエストバンドの開口を効果的に保持して使用者の足を衣類に容易に接近させられるように設計されている。該装置は、標準高の椅子または標準の便座の着席位置に居る使用者に操作されるよう設計されている。
【００１５】
各ヘッドはまた、シャフトに対して設定された角度でそれぞれのシャフト上に設置されている。各ヘッドは、同じ角度で設定されている。この角度は、作業位置にある各ヘッドが、衣類のウエスト開口部に使用者の足を容易に入れるための最良の角度で、ウエストを開口状態に確実に保持するよう設計されている。
【００１６】
各ヘッドは、使用者に最も近い縁部に２つの独特に傾斜したコーナーも有し、トラックスーツなど、下着パンツよりも重い衣料品のウエストバンドの下にその縁部を留めることができる。この特徴は、前記衣料品を膝の高さまで持ち上げた時に、Ｖｅｌｃｒｏ（登録商標）がその衣料品の重さを支えるのを支援することである。
【００１７】
各装置は、射出成型などの加工において、ポリカーボネートプラスチックまたはその他の適切な射出成型可能なプラスチックもしくはアルミニウムなどの材料を用いて、１つのユニットとして一体成形されたハンドルシャフトおよびヘッドを有する単一部品の一体構造のものであってもよい。その後、Ｖｅｌｃｒｏ（登録商標）型材料が、適切な接着剤を用いて、各ヘッドの凸表面に固定される。
【００１８】
各ユニットは、３つの別個の部品として製造されてもよい。シャフトは、好ましくは、長手方向に平行または先細のいずれかの管状形態で、より軽量であるが頑丈な材料、例えばＧＲＰ（ガラス強化プラスチック）で製造されてもよい。
【００１９】
用いられる材料は、強度を追加するために他のファイバー、例えばグラファイトまたはＫｅｖｌａｒ（登録商標）を含有することができる。シャフトも、アルミニウムまたはその合金の１種から類似の管状または半管状形態で製造されてもよい。シャフトは、軽量性を有しながら、その目的を実現するのに十分な引張強さを有さなければならない。
【００２０】
先の通りシャフトを構築した後、それが、該一体成型ユニット内で用いられるものと構造およびプロファイルが類似したプラスチックまたはアルミニウム製ヘッドに取り付けられてもよい。このヘッドは、プロファイルの一部として、先に述べられたものと同じ設定角度で穴が形成（成形または穿孔）されている、成形された装着台を有し、シャフトを、この装着穴に挿入して適切なエポキシ樹脂でそれを固定することにより、シャフトがヘッドにしっかりと定置される。装着穴は、ヘッドの装着台を通る道を約７５％穿通する。
【００２１】
軽量であるが軟質の材料、例えばＥＶＡ（エチレン酢酸ビニル）または類似の独立気泡発泡体から形成された全てが、一方の先端にありハンドルの長さの約９０％伸長する中央の長手方向の穴を有する円筒形または楕円形で形成されてもよく、この穴は、口径がシャフトの口径と類似しており、２つの部品は、適切なエポキシ樹脂でしっかりと固定されている。その完成された形態では、各軽量装置は、理想的には５０グラム以下の重量でなければならない。
【００２２】
先の、３つの別個のユニットの構成方法における選択肢として、入れ子式シャフトを有することも、非常に望ましい。これにより、該装置は容易に保管することができ、より重要なこととして持ち運び可能性が高い。今日では、柔軟性が制限された人々であっても多くは、非常に行動的なライフスタイルを送っており、毎日の予定が実行される場所がどこであろうと、ズボンの交換に対処し得ることが極めて重要である。
【００２３】
入れ子式ユニットは、理想的には圧縮状態でわずか１５０ｍｍほどの長さであろう。そして完全に伸長すると５００ｍｍほどである。
【００２４】
入れ子形態のシャフトの継ぎ目は、最小限の労作で該ユニットを容易に伸長することができるだけでなく、一方の手でハンドルを簡単に保持し他方の手でヘッドをハンドルに向かって穏やかにたたくことにより容易にたたませる様式で、設計されなければならない。入れ子式ユニットを伸長する、またはたたむのに、ねじり動作を必要としてはならない。
【００２５】
入れ子式ユニットは、完成時に、総重量がそれぞれ５０グラム以下でなければならない。開口が容易なＶｅｌｃｒｏ（登録商標）または類似の締結具を有する軟質ビニル製キャリーケースまたは他の軽量の適切なコンテナを用いた旅行用の包装の場合、２つの入れ子式ユニットおよび替えの失禁用または通常のパンツと旅行用コンテナとが、合計で２００グラム以下の重量でなければならないと想定される。旅行用コンテナは、１８０ｍｍ×１２０ｍｍ×４０ｍｍ以下の大きさで、ハンドバッグまたは乗り物のグローブボックスに入れて容易に運搬することができなければならない。
【００２６】
例示にすぎないが、３つの本発明の好ましい実施形態を、添付の図面を参照しながら詳細に記載する。
【図面の簡単な説明】
【００２７】
【図１】左手および右手ユニットの両方を示す、一体として製造された装置の等尺図である。
【図２】一定の長さの軽量シャフトを有する、別個に製造された装置の左手ユニットの斜視図である。
【図３】完全に開いた位置の軽量入れ子式ユニットの左手バージョンの側面図である。
【図４】圧縮位置にある軽量入れ子式装置の左手ユニットの側面図である。
【図５】用いられている装置の画家による描写である。
【図６】用いられている装置の画家による描写である。
【図７】用いられている装置の画家による描写である。
【発明を実施するための形態】
【００２８】
図面（図〜図４）を参照すると、各装置は、それぞれがハンドル（１、１０）、シャフト（２、１１、１５）およびヘッド（３、１２）で作製された２つの類似のユニットからなる。その２つのユニットは、特有に右手または左手があり、そのためＲおよびＬ（７、８）と標識されている。各ヘッド（３、１２）は、Ｖｅｌｃｒｏ（登録商標）タイプの材料（４）で覆われた外部（凸）表面を有し、ハンド（１、１０）に最も接近した各ヘッドの２つのコーナーは、凹表面上におよそ１０ｍｍ×７ｍｍ×７ｍｍの先細の三角領域（５、６）を有し、そのコーナーの厚さは、およそ１ｍｍ（１６、１７）に減少している。
【００２９】
装置の最も無駄のない形態（図１）は、上述のハンドル（１）、シャフト（２）およびヘッド（３）で構成され、それらの全てがポリカーボネートプラスチックもしくは類似のものなどの材料、またはアルミニウムもしくはその合金の一種などの軽量金属を用いて成形加工により一体型ユニットとして形成されている。
【００３０】
ハンドル（１）の断面は、楽にしっかり握れることを提供するようになっていなければならない。シャフト（２）の断面は、材料により変動するが、着用される衣類の重さを支える役割、および装置が完全に伸長した時に衣類（１８）のウエスト開口部を開口位置で保持する役割を満たすのに十分な引張強さを有していなければならない。
【００３１】
ヘッド（３）は、下着パンツのウエストバンドと楽に嵌合するのに適した幅の細長い長方形の形態であり、四分円に近い形状に湾曲すると、衣類のウエストバンドを開口状態に保持して、ズボンのウエストバンドの開口部に使用者の足を楽に滑り入れられることができるよう十分に長い。ヘッド（３）の厚さは、使用された材料により変動するであろうが、装置が伸長された時に着用される衣類を開口位置で支える役割、およびＶｅｌｃｒｏ（登録商標）（４）材料を介して完全に伸長した装置をヘッド（３）に取り付けた時に衣類（１８）の重さを快適に支える役割を満たすのに十分な引張強さおよび剛性を有していなければならない。ヘッド（３）は、機能的役割を有効に満たすことが前提であれば、様々な形状であってもよい。
【００３２】
各ヘッド（３）は、ハンドルに最も近いプロファイルの２つのコーナーに、およそ１０ｍｍ×７ｍｍ×７ｍｍの三角形である先細のコーナー（５、６）も有し、それが傾斜して各コーナーの厚さがおよそ約１ｍｍ（１６，１７）に減少している。
【００３３】
これらの先細のコーナー（５、６）は、ヘッドにトラックスーツパンツなどのより重い衣類のウエストバンドの下を滑らせて、ユーザーに操作されている時にＶｅｌｃｒｏ（登録商標）（４）が衣類の重さを支えるのを支援するためのものである。
【００３４】
各ヘッド（３）の外部（凸）表面は、Ｖｅｌｃｒｏ（登録商標）フック（４）または類似の織物把握材料の覆いを有し、着用される衣類（１８）をヘッド（３）の凸表面にしっかりと接着させることができる。
【００３５】
図２には、より細い軽量バージョンの装置の図がある。この場合、ハンドル（１０）、シャフト（１１）およびヘッド（１２）は、様々な適切な材料で別個に製造されている。
【００３６】
図２に示されたシャフト（１１）は、必要に応じて引張強さを上昇させるために追加されたグラファイトファイバーまたはＫｅｖｌａｒ（登録商標）ファイバーなどを追加的に補強したＧＲＰ（ガラス強化プラスチック）から作製されていてもよい。あるいはアルミニウムまたはその合金の一種が、用いられてもよい。理想的にはシャフト（１１）の断面は、中空の円形または楕円形であって、その壁厚および外径は、最小限に維持されることで重さを減少させるが、装置の完全な伸長時に保持される衣類を支えるという装置の役割を満たすのに必要な引張強さを損なわず、用いられる衣類のウエスト開口部を開口位置でしっかりと保持する。
【００３７】
上記ハンドルの長手方向のプロファイルは、平行または先細であってもよい。
【００３８】
上記ユニットのハンドル（１０）は、理想的には軟質であるが軽量の防水材料、例えばＥＶＡ独立気泡発泡体またはその他の適切な材料、例えばコルクなどから形成されていなければならない。ハンドルのプロファイルは、使用者が楽ににぎれるようにし、長手方向軸に沿って長さのおよそ９０％を通る中央の穴（２５）を有するようになっていなければならない。この穴は、口径が先に記載された通り別個に製造されたシャフト（１１）のハンドル先端径と近似しており、そのようなハンドル（１０）は、シャフト（１１）をハンドルの穴（２５）に完全に滑り込ませて、適切な防水性接着剤で固定することにより、前記シャフト（１１）にしっかりと付着される。
【００３９】
別個にして製造されたヘッド（１２）は、一体として製造されたヘッド（３）と類似の材料から製造され、その外部湾曲（凸）形状は、長さおよび幅という基本的寸法と類似している。同じく先細のコーナー（５、６）も、一体として製造されたヘッド（３）と同様に存在する。外部（凸）表面も、一体として製造されたヘッド（３）と同じＶｅｌｃｒｏ（登録商標）（４）フックまたは類似材料で覆われている。ヘッド（１２）にも、特有に左手および右手があり、そのためＲおよびＬ（７、８）と標識されている。
【００４０】
別個に製造されたヘッド（１２）は、主にその内部凹表面が一体として製造されたヘッド（３）と異なっていて、装着台（１４）がこの形態のヘッド（１２）に一体成形されている。
【００４１】
この装着台には、別個に製造されたシャフト（１１）のヘッド側先端の口径よりもほんのわずかに小さい口径の装着穴（１３）が中央に位置している。この穴は、ヘッドの短手方向軸に対して平行に、そしてヘッド（１２）の長手方向軸に対して一定角度（１９）で存在する。この穴（１３）は、ヘッド（１２）と一体成形されてもよく、または製造後に、ヘッド（１２）の短手方向軸の長さのおよそ７５％の深さまで穿孔されてもよい。
【００４２】
別個に製造されたハンドル（１０）、シャフト（１１）およびヘッド（１２）を有するこの形態の装置は、一体として形成されたユニット（図２）よりも軽量で使用が楽になるはずであるが、製造がより高価になろう。
【００４３】
第三の形態の装置は、図３に示された通りであり、シャフト（１５）はこれまで記載された軽量のシャフト（１１）と類似の形状および寸法、ならびに類似の強度の類似材料から製造されるが、本質的に入れ子式であり、縮小させると、長さがおよそ１５０ｍｍまで減少するのに十分な入れ子式部品で構成されていることが異なっている。
【００４４】
これにより、このバージョンの装置（図３）に、コンパクトな包装および簡便な持ち運び可能性という追加的利益が付与される。
【００４５】
このバージョンの最後の構成は、これまで記載された軽量シャフト（１１）に嵌合させたのと同じヘッド（１２）およびハンドル（１０）およびＶｅｌｃｒｏ（登録商標）材料（４）を入れ子式シャフト（１５）に嵌合させることを含む。
【００４６】
該ユニットの全体的寸法は、理想に近いと思われる５００ｍｍほどの全長で、わずかに変動してもよい。人工股関節置換術および一部の多発性硬化症患者の場合、全長を増加させることが望ましい場合がある。各ヘッド（３、１２）タイプの理想的な全長は、狭い縁部から狭い縁部まで直線で１２０ｍｍほどと思われる。ヘッド（３、１２）の幅は、２０ｍｍほどが最良に働くと思われるが、より重い衣料またはＶｅｌｃｒｏ（登録商標）の把握力を減少させる材料の場合、２５ｍｍ必要となる場合がある。
【００４７】
（使用）
先に記載された装置は、以下の手法により最良に使用される。
【００４８】
ステップ１は、使用者が標準高のテーブル（２１）の前の快適な直立式椅子（２０）に座ることであり、選択された装置（図１、２、３）および着用される衣類（１８）は全て前のテーブル（２１）に置かれている。
【００４９】
その後、Ｌ（７）と標識された左手装置が、ヘッド（３、１２）によって衣類（１８）の左手側ウエストバンドの内側に配置され、ウエストバンドを穏やかに引っ張ることにより、ヘッド（３、１２）のＶｅｌｃｒｏ（登録商標）表面（４）をウエストバンドにしっかりと付着させることができる。その後、この工程を、右手装置（８）を用いて、衣類（１８）のウエストバンドの右側で再度行う。この時点で、衣類（１８）の前区分は、テーブル（２１）の最上部になければならず、ヘッド（３、１２）の左および右という標識記号（７、８）も、最上部になければならない。その後、衣類（１８）は、使用者がハンドル（１、１０）により２つのユニットを簡単に取り上げて、ヘッド（３、１２）を緩やかに離した状態で両方のユニットを足に向かって延ばし、パンツを開口した状態に保持することにより、容易に着用する準備ができる。その後、衣類（１８）を使用者の足（２２）の前に配置させると、それは自動的に、使用者が一方の足をウエスト開口部（２３）に通す時にその足を簡便に滑り入れて関連の脚開口部（２４）から出すための、楽な位置および構成になり、両方の足が床に着いて、ユニット（１８）が使用者の足首周囲にくる。その後、使用者は、着席した位置であっても、肘を曲げることにより装置を穏やかに上昇させて、衣類（１８）を下肢に沿って容易に滑り上げて、膝の高さに到達させることができる。この時点でユニットを衣類（１８）から穏やかに脱離して、テーブル（２１）上に配置させる。
【００５０】
その後、使用者は、手で衣類（１８）を穏やかに緩めて、膝の上によりしっかりと通すことができる。
【００５１】
最後に、必要に応じてテーブルでサポートしながら、注意深く起立することにより、使用者は、衣類（１８）を容易かつ安全に正しい装着位置まで引き上げることができる。
【００５２】
反対に、下着パンツ、失禁用パンツ、またはウエストゴム入りトラックスーツボトム、またはズボンなどの衣類（１８）の脱衣を望む場合、上記事柄に逆の順序で従う。
【００５３】
該装置は、衣類を床から回収するためのピックアップツールとして使用してもよい。
【図１】
2013539672.tif 000003
【図２】
2013539672.tif 000004
【図３】
2013539672.tif 000005
【図４】
2013539672.tif 000006
【図５】
2013539672.tif 000007
【図６】
2013539672.tif 000008
【図７】
2013539672.tif 000009
【国際調査報告】
2013539672.tif 000010
2013539672.tif 000011
2013539672.tif 000012
2013539672.tif 000013